(57)【要約】本発明は、２つの構成部分の機械的接合のための花火構造式の固定部材に関するものである。本発明の目的は、極度に力をかけることなく、カバー（１）をアダプタ（２）にしっかり固定することである。上記発明は、その外周を少なくとも部分的に囲むこのような方法で、溝（３）はアダプタ（２）の中に配置され、アダプタとカバー（１）をしっかり固定する前、半径方向に突き出たカラー（４）はカバー（１）の外面上に配置され、アダプタ（２）の中に配置された溝（３）はカバー（１）のカラー（４）と同一平面にあり、カバー（１）をアダプタ（２）にしっかり固定するために、少なくともカラー（４）の一部分は溝に圧入されることを特徴とする。
2007518948.tif 000002
【特許請求の範囲】
【請求項１】
２つの構成部分の機械的接合のための花火構造式の固定部材であって、固定部材はカバー（１）で構成され、カバーのヘッド部分（５）に花火装填火薬（６）が配置され、花火装填火薬はアダプタ（２）に隣接し、カバー（１）の後方部分に第１の構成部分のための固定手段又は止め具が配置され、第１の構成部分とヘッド部分（５）との間でカバー（１）上に第２の構成部分を押しつけることができ、カバー（１）はそのヘッド部分（５）に縦方向に伸びる理論破断ノッチを有し、装填火薬（６）に点火すると、理論破断ノッチはヘッド領域でカバー（１）を裂いて開き、アダプタ（２）の周りでそれを曲がらせ、その結果、第１の構成部分が第２の構成部分としっかり接合されるようになっていて、
上記アダプタ（２）内に、少なくとも外周上の一部を囲む溝が配置され、
上記カバー（１）を上記アダプタ（２）にしっかり固定する前は、半径方向に突き出たカラー（４）がカバー（１）の外面に設けられ、
上記アダプタ（２）内の上記溝（３）が上記カバー（１）の上記カラー（４）に沿って配置され、
上記カバー（１）を上記アダプタ（２）にしっかり固定するために、少なくとも上記カラー（４）の一部分が上記溝（３）に圧入されるようになっていることを特徴とする固定部材。
【請求項２】
アダプタ（２）内の溝（３）とカバー（１）のカラー（４）は特定の外周上を囲むように形成されていることを特徴とする請求項１記載の固定部材。
【請求項３】
圧入後、カバー（１）の外面は、少なくとも３つの表面形状であることを特徴とする請求項１又は２記載の固定部材。
【請求項４】
圧入後、カバー（１）は好ましくは斜めになった角のある四角形状であることを特徴とする請求項３記載の固定部材。
【請求項５】
カバー（１）は金属から製造されたものであることを特徴とする請求項１乃至４のうちのいずれか１つに記載の固定部材。
【請求項６】
アダプタ（２）は円柱型になるように形成されていることを特徴とする請求項１乃至５のうちのいずれか１つに記載の固定部材。
【発明の詳細な説明】
【技術分野】
【０００１】
本発明は、請求項１の前提部分による花火構造式の固定部材（pyromechanical securing element）に関するものである。
【背景技術】
【０００２】
当該花火構造式の固定部材は本出願の優先日後に公開された特許文献１から知られている。
【０００３】
この固定部材は金属カバーで構成され、花火装填火薬（pyrotechnic propellant charge）はカバーのヘッド部分に配置される。この装填火薬はアダプタに隣接する。第１の構成部分を固定するためのつば付きエッジは、アダプタに隣接しているカバーの後方部分に配置される。第２の構成部分が第１の構成部分の上に載るように、第１の構成部分とヘッド部分との間のカバー上に第２の構成部分を押すことができる。
【０００４】
カバーはそのヘッド部分に縦方向に走る理論破断ノッチ（theoretical break notches）を有する。装填火薬に点火すると、外面の中央部がアダプタの周りで曲がり、ひいては第１の構成部分に対して直接かそれともフローティングディスクを介して第２の構成部分を押圧するように、理論破断ノッチは裂けて開き、その結果、第１の構成部分は第２の構成部分としっかり接合される。
【０００５】
【特許文献１】独国特許出願公開第１０３３８３９４号明細書。
【発明の開示】
【発明が解決しようとする課題】
【０００６】
本発明の目的は、極度に力をかけることなくアダプタによってカバーをしっかり固定することができるように、請求項１の前提部分による花火構造式の固定部材を改良することである。
【課題を解決するための手段】
【０００７】
アダプタ内に、少なくとも外周上の一部を囲む溝を配置し、
カバーをアダプタにしっかり固定する前に、半径方向に突き出たカラーをカバーの外面に設け、
アダプタ内の溝をカバーのカラーに沿って配置し、
カバーをアダプタにしっかり固定するために、少なくともカラーの一部を溝に圧入する発明により、この目的を達成する。
【０００８】
アダプタ内の溝及びカバーの外面上にそれに沿って配置されたカラーによって、少なくともカラーの一部分を溝に圧入するとき、カバーをアダプタにしっかり固定するために、極度に力をかける必要はない。
【０００９】
好ましい実施例において、アダプタ内の溝とカバーのカラーは、特定の外周上を囲むように形成される。
【００１０】
本発明によれば、圧入後、カバーの外面は少なくとも３つの表面形状である。好ましくは、圧入後、カバーは四角形状である。特に、四角形状であるカバー及び固定部材は、取り付けられた装置にとって有益である。
【００１１】
例えばカバーが四角形状のとき、角は都合良く斜めになっている。この斜面は、これらのポイントでカバーを溝に圧入することによって生じる。
【００１２】
本発明のある実施例において、カバーは金属から製造され、好ましくはアダプタは円柱型になるように設計される。通常アダプタは金属から製造されるが、強化樹脂で構成してもよい。
【００１３】
アダプタ内の溝は、その縦の広がりに対して中心に都合良く配置される。
【発明を実施するための最良の形態】
【００１４】
典型的な実施例を使って、以下に本発明をさらに詳しく説明する。
【００１５】
図１は、アダプタ２が差し込まれた花火構造式の固定部材のカバー１の縦断面図を示す。この実施例において、アダプタ２は円柱型になるように設計され、好ましくはカバー１のように金属で構成する。例えばレーザ光によって点火することができる装填火薬６は、カバー１のヘッド部分５に配置される。
【００１６】
装填火薬６又はその点火後生じるガスはヘッド部分５の領域でカバー１を裂いて開き、そしてそれがアダプタ２の周りで曲がるように、縦方向に伸びる理論破断ノッチはヘッド部分５に設けられる。これらの理論破断ポイントは、ヘッド部分５の端面側に半径方向に伸びる。
【００１７】
圧力生成のための空洞７は、装填火薬６とアダプタ２との間に配置される。装填火薬６に隣接するアダプタ２との表現は、両者間への空洞７の導入を含んでいる。
【００１８】
環状の溝３は、アダプタ２の外周上に配置される。カバー１は、この溝３と同一平面でその外周上を囲むカラー４を有する。
【００１９】
図１は、カバー１をアダプタ２にしっかり固定する前の固定部材を示す。
【００２０】
図２は、図１と同様の縦断面図で、しっかり固定した後の固定部材を示す。しっかり固定する前の状態（図１）でのカラー４が、しっかり固定した後の状態（図２）ではカバー１の外周上で消えたことをはっきりと見ることができる。カラー４の材料は、押圧工程により溝３の方向及び半径方向に押圧され、（少なくとも一部分が）すぐにこの溝３の中に位置付けられ、その結果、カバー１をアダプタ２に非常に堅く機械的にしっかり固定することに加えて、解決の鍵となる四角形状である斜めになった角８のある固定部材が製造される。
【００２１】
図１及び２の２図は、第１の構成部分のための固定手段又は止め具を示さない。
【図面の簡単な説明】
【００２２】
【図１】アダプタ２とカバー１をしっかり固定する前の固定部材の縦断面図である。
【図２】アダプタ２とカバー１をしっかり固定した後の固定部材の図１と同様の縦断面図である。
【符号の説明】
【００２３】
１  カバー、
２  アダプタ、
３  溝、
４  カラー、
５  ヘッド部分、
６  装填火薬、
７  空洞、
８  斜めになった角。
【図１】
2007518948.tif 000003
【図２】
2007518948.tif 000004
【国際調査報告】
2007518948.tif 000005
2007518948.tif 000006
2007518948.tif 000007
2007518948.tif 000008